(57)【要約】      （修正有）【課題】異なる大きさの画像表示パネルを用いることができ、簡易に快適な遊技空間を形成することができる表示装置を提供する。【解決手段】遊技機の上部に設けられる幕板に形成される幕板開口Ｐ７に配置され、所望の画像を表示する表示装置であって、有効表示領域に画像を表示する画像表示パネル４を有し、幕板開口Ｐ７を塞ぎ、かつ、画像表示パネル４の有効表示領域の周囲の額縁を覆う枠体５を介して幕板開口Ｐ７に配置され、異なる大きさの画像表示パネル４を用いる場合には、画像表示パネル４に対応した枠体５と交換する。【選択図】図５
0003162323.tif 000002
【実用新案登録請求の範囲】
【請求項１】
遊技機の上部に設けられる幕板に形成される開口に配置され、所望の画像を表示する表示装置であって、
有効表示領域に画像を表示する画像表示パネルを有し、
前記開口を塞ぎ、かつ、前記画像表示パネルの有効表示領域の周囲の額縁を覆う枠体を介して前記開口に配置され、
異なる大きさの画像表示パネルを用いる場合には、画像表示パネルに対応した前記枠体と交換することを特徴とする表示装置。
【請求項２】
前記枠体は、前記開口よりも大きく残余部分が設けられており、当該残余部分が前記幕板の背面に取り付けられることを特徴とする請求項１記載の表示装置。
【請求項３】
遊技機島の上部において各遊技機に対応して設けられる幕板に形成される開口に配置され、所望の画像を表示する表示装置を有する表示システムであって、
前記表示装置に画像を表示させる表示制御装置を備え、
前記表示装置は、
有効表示領域に画像を表示する画像表示パネルを有し、
前記開口を塞ぎ、かつ、前記画像表示パネルの有効表示領域の周囲の額縁を覆う枠体を介して前記開口に配置され、
異なる大きさの画像表示パネルを用いる場合には、画像表示パネルに対応した前記枠体と交換することを特徴とする表示システム。
【考案の詳細な説明】
【技術分野】
【０００１】
本考案は、遊技機の上部において所望の画像を表示する表示装置及び表示システムに関する。
【背景技術】
【０００２】
従来より、パチンコ機やスロットマシン等の遊技機を配設する遊技店においては、遊技機を列設して、いわゆる遊技島を構成し、遊技機の上方には球やコインを補給する補給樋や遊技店の管理コンピュータと各遊技機とを結ぶ信号線や給電線等が配設してある。これらの樋や配線は、外部から見えないように遊技島の上部を幕板によって覆われている。
この幕板においては、広告や遊技機の情報が印刷されたシート等を貼り付けて情報を表示する表示面として、利用されている。
また、特許文献１に記載の発明のように、幕板を有機ＥＬパネルのような表示装置により構成し、所望の画像を表示する表示領域として利用することができるものが知られている。
【先行技術文献】
【特許文献】
【０００３】
【特許文献１】特開２００４−８５８９号公報
【考案の概要】
【考案が解決しようとする課題】
【０００４】
ところで、機体の寿命とは別に使用を終えた遊技機は、廃棄処分されているという実情があった。機体の寿命により廃棄処分されていないために、遊技機においては、遊技機に搭載される機器は利用可能な状態で廃棄処分される。これは、近年のリサイクルの要請の観点からも好ましくない。
そこで、本考案者は、遊技機の廃棄処分に伴い遊技機に搭載された入賞等の表示を行う液晶パネル等の画像表示パネルも廃棄処分されており、再利用が図られていないという現状に着目した。その結果、上述した問題とともに画像表示パネルの有効利用することを見出し、本考案を完成するに至った。
本考案は、簡易に快適な遊技空間を提供することを目的とする。
【課題を解決するための手段】
【０００５】
（１）遊技機の上部に設けられる幕板に形成される開口に配置され、所望の画像を表示する表示装置であって、
有効表示領域に画像を表示する画像表示パネルを有し、
前記開口を塞ぎ、かつ、前記画像表示パネルの有効表示領域の周囲の額縁を覆う枠体を介して前記開口に配置され、
異なる大きさの画像表示パネルを用いる場合には、画像表示パネルに対応した前記枠体と交換することを特徴とする表示装置。
【０００６】
（１）の表示装置は、幕板に形成される開口に枠体により保持されて、画像表示パネルが配置される。このため、（１）の表示装置においては、幕板の表面の領域を表示領域にすることができるために、快適な遊戯空間を提供することができる。また、幕板の交換等を行わずに既存の幕板を使用することができるため、幕板の表面に装飾等が施されていた場合には、幕板の装飾効果に加えて、本表示装置によりさらに快適な遊技空間を提供することができる。
【０００７】
また、（１）の表示装置は、様々な大きさの液晶パネルに対応可能な枠体により液晶パネルを覆っている。このため、（１）の表示装置においては、廃棄処分されたパチンコ機に搭載されていた液晶パネルや既製品等の液晶パネルを簡易に利用することができる。特に、廃棄される遊技機に搭載された液晶パネルを利用することができ、液晶パネルに関するコストを低減させることができる上に、リサイクルの観点も同時に満足させることができる。
【０００８】
（２）前記枠体は、前記開口よりも大きく残余部分が設けられており、当該残余部分が前記幕板の背面に取り付けられることを特徴とする（１）の表示装置。
【０００９】
（２）の表示装置は、幕板の背面に画像表示パネルを保持する枠体が取り付けられるために、幕板の表面に突出することがないため、幕板の美観を損ねることない上に、突出部にぶつかる等の心配が生じない。
【００１０】
（３）遊技機島の上部において各遊技機に対応して設けられる幕板に形成される開口に配置され、所望の画像を表示する表示装置を有する表示システムであって、
前記表示装置に画像を表示させる制御装置を備え、
前記表示装置は、
有効表示領域に画像を表示する画像表示パネルを有し、
前記開口を塞ぎ、かつ、前記画像表示パネルの有効表示領域の周囲の額縁を覆う枠体を介して前記開口に配置され、
異なる大きさの画像表示パネルを用いる場合には、画像表示パネルに対応した前記枠体と交換することを特徴とする表示システム。
【００１１】
（３）の表示システムは、幕板の前面に配置されるために、幕板の前面の領域を表示領域にすることができるために、遊技機島において快適な遊戯空間を提供することができる。また、幕板の交換等を行わずに既存の幕板を使用することができるため、幕板の表面に装飾等が施されていた場合には、幕板の装飾効果に加えて、本表示システムによりさらに遊技機島において快適な遊技空間を提供することができる。
【００１２】
また、（３）の表示システムは、様々な大きさの液晶パネルに対応可能なカバーにより液晶パネルを覆っている。このため、（３）の表示システムにおいては、廃棄処分されたパチンコ機に搭載されていた液晶パネルや既製品等の液晶パネルを簡易に利用することができる。特に、廃棄される遊技機に搭載された液晶パネルを利用することができ、液晶パネルに関するコストを低減させることができる上に、リサイクルの観点も同時に満足させることができる。
【考案の効果】
【００１３】
本考案によれば、異なる大きさの画像表示パネルを用いることができるため、簡易に快適な遊技空間を提供することができる。
【図面の簡単な説明】
【００１４】
【図１】本考案のパチンコ島における表示システムを示す概念図である。
【図２】本考案のパチンコ島の正面図である。
【図３】幕板に取り付けた状態を示す図で、（ａ）は標準の液晶パネルを用いた表示装置を取り付けた状態を示す斜視図、（ｂ）は小型の液晶パネルを用いた表示装置を取り付けた状態を示す斜視図である。
【図４】幕板への枠体の取り付けを示す図で、（ａ）は幕板への枠体本体の取り付けを示す図、（ｂ）は枠体本体を幕板に取り付けた状態を示す図、（ｃ）は、小型の液晶パネルを用いるための枠体本体を示す図である。
【図５】枠体への液晶パネルの取り付けを示す図で、（ａ）は枠体本体への固定部材の取り付けを示す図、（ｂ）は枠体への液晶パネルの取り付け状態を示す図である。
【考案を実施するための形態】
【００１５】
以下、本実施形態の表示システムＳについて、図１を用いて説明する。図１は、本考案のパチンコ島Ｐ１（遊技機島）における表示システムＳを示す概念図である。
本実施形態の表示システムＳは、各パチンコ機Ｐ２、Ｐ２、Ｐ２・・・の上部に設けられる呼び出しボタンや幕板Ｐ３に対応して配置される表示装置１と、表示装置１に画像を表示させる表示制御装置２とを備える。
【００１６】
表示装置１が配置される幕板Ｐ３は、図１に示すように、パチンコ機Ｐ２の上部の球給通路（図示せず）や配線（図示せず）等を覆い隠す板であり、内部の配線等を外部から取り扱うことができるように、各パチンコ機Ｐ２の上部に配置されるとともに、パチンコ機Ｐ２の天面に位置する天板Ｐ４（取り付け部）に蝶番Ｐ５を介して開閉可能に取り付けられる。
【００１７】
また、幕板Ｐ３には、本実施形態においては、例えば、幕板Ｐ３の下部に設けられているパチンコ機Ｐ２の機種に対応する絵柄等が印刷された装飾シート（図示せず）が貼り付けられる。
したがって、パチンコ島Ｐ１において、同一機種のパチンコ機Ｐ２が配設される場合には、パチンコ島Ｐ１の全体で、パチンコ機Ｐ２の装飾と幕板Ｐ３の装飾により遊技空間が総合的に演出される。
【００１８】
また、呼び出しボタンは、プレーヤが店員を呼び出すためのボタンであり、幕板Ｐ３とパチンコ機Ｐ２との間にある領域Ｐ６に配置される。なお、この領域Ｐ６には、本実施形態においては、呼び出しボタンの他に、押しボタンに対応したランプや対応するパチンコ機Ｐ２の出玉の情報を表示する表示部が配置される。
【００１９】
表示システムＳにおける表示制御装置２は、図１に示すように、複数の表示装置１に接続される。
表示制御装置２は、本実施形態においては、ビデオデッキにより構成される。ビデオデッキ２２は、磁気テープ媒体であるビデオに記憶された動画像を再生可能に構成される。また、ビデオデッキ２は、所定の動画像をエンドレスで再生し、例えば、１０分で１セットとなる動画像（映像）を再生し続けるように構成される。
【００２０】
ビデオデッキ２により再生される映像は、例えば、パチンコ機Ｐ２に関する情報（機種情報や操作方法）や、店舗の情報や、店舗の近隣の情報等が流される。なお、表示制御装置２により再生される映像は、表示装置１の利用目的等により種々決定可能である。
【００２１】
次に、本実施形態の表示装置１について、図２から図５を用いて説明する。図２は、本考案のパチンコ島Ｐ１の正面図である。図３は、幕板Ｐ３に取り付けた状態を示す図で、（ａ）は標準の液晶パネル４を用いた表示装置１を取り付けた状態を示す斜視図、（ｂ）は小型の液晶パネル４を用いた表示装置１を取り付けた状態を示す斜視図である。図４は、表示装置１を幕板Ｐ３に取り付ける状態を示す図である。図５は、保持部３における角度調整機構を示す図で、（ａ）は第２保持部材３２に第１保持部材３１を取り付ける状態を示す図、（ｂ）は固定部材３３の取り付けを示す図、（ｃ）は液晶パネル４の角度の調節を示す図である。
【００２２】
表示装置１は、図２及び図３（ａ）に示すように、パチンコ機Ｐ２の上部に設けられる幕板Ｐ３のほぼ中央の幕板Ｐ３の表面に配置される。
【００２３】
表示装置１は、図３及び図４に示すように、表面の有効表示領域Ｒ１において表示面を構成し、幕板Ｐ３の表面に有効表示領域Ｒ１が配置される液晶パネル４と、液晶パネル４の有効表示領域Ｒ２を幕板Ｐ３の表面に保持する覆う枠体５と、を備える。
【００２４】
このように構成される表示装置１は、図３（ｂ）に示すように、図３（ａ）に示す液晶パネル４よりも小型の液晶パネル４を用いることができる。また、表示装置１は、図３（ａ）に示す液晶パネル４よりも小型の液晶パネル４に限られず、異なる大きさの液晶パネル４を用いることができる。異なる大きさの液晶パネル４とは、縦横比が異なる液晶パネル４や厚さが異なる液晶パネル４である。また、枠体５の形状を変更することにより、矩形の液晶パネル４以外の液晶パネル４を用いることができる。表示装置１に異なる大きさの液晶パネル４を用いた場合については、後に詳述する。
【００２５】
液晶パネル４は、本実施形態においては、横長の矩形形状であり、ＴＦＴ（Ｔｈｉｎ  Ｆｉｌｍ  Ｔｒａｎｓｉｓｔｏｒ、薄膜トランジスタ）液晶パネル４として構成される。液晶パネルには、所望の画像を表示する有効表示領域Ｒ１が中央に設けられ、有効表示領域Ｒ１の周囲には、画像表示に供しない額縁Ｒ２が設けられている。
【００２６】
液晶パネル４は、例えば、バックライト（図示せず）と、バックライト上に設けられる偏光板と、偏光板上に設けられるアレイ基板（図示せず）と、アレイ基板上に設けられるカラーフィルタ（図示せず）と、アレイ基板に接続される駆動回路（図示せず）と、カラーフィルタ上に設けられる偏光板（図示せず）と、インターフェース基板（図示せず）とを備える。なお、液晶パネル４は、種々の要素から構成可能である。
【００２７】
液晶パネル４は、上述したバックライト等がユニット化され、ケーブル（図示せず）が引き出されて提供される。液晶パネル４は、ケーブルによりビデオデッキ２と接続し、ビデオデッキ２から画像と電源が供給される。
【００２８】
また、液晶パネル４は、本実施形態においては、廃棄されたパチンコ機Ｐ２に搭載されていた液晶パネル４を用いる。液晶パネル４は、パチンコ機Ｐ２の搭載状態においては、例えば、パチンコ機Ｐ２の筐体に取り付けるための取り付け部を有するケースに覆われている場合がある。この場合において、液晶パネル４は、ケースから取り外した状態で後述する枠体５を取り付ける。
【００２９】
バックライトは、面光源であり、インバータに接続されたライトと偏光板にライトの光を導く導光板とを有する。
【００３０】
偏光板は、一方向からの光を通過させ、多方向の光を吸収、あるいは、反射や散乱等によって遮蔽する機能を有するように構成される。
【００３１】
アレイ基板は、ＴＦＴによる画素をマトリックス状に多数配列した基板により構成される。
【００３２】
駆動回路は、液晶パネル４を駆動するために駆動用集積回路（ドライバＩＣ）を付加し、それらを制御するコントローラ（制御用集積回路）等を搭載したプリント基板として構成される。
【００３３】
カラーフィルタは、可視光のうち特定の波長域の光を通過させ、特定の波長域の光を素阻止するフィルタとして構成される。
【００３４】
インターフェース基板は、出力機器（本実施形態においては、ビデオデッキ２）からの出力信号を液晶パネル４に表示可能に変換する基板である。本実施形態においては、当該プリント基板及びインターフェース基板は、液晶パネル４にユニット化されており、電源供給及び出力機器との接続のために、液晶パネル４からケーブルが引き出される。
【００３５】
なお、本実施形態においては、液晶パネル４は、リサイクルの要請等を考慮して、廃棄されたパチンコ機Ｐ２に搭載される液晶パネル４を用いたがこれに限られない。液晶パネル４は、例えば、既製品であっても、新たに設計したものであってもよい。この場合においても、液晶パネル４の大きさを考慮する必要がないために液晶パネル４の選択の幅が広がり、例えば、コスト的に有利な既製品を用いることや部品を用いることができるために、廃棄された液晶パネル４を用いる以外にも有効である。
【００３６】
表示装置１は、上述したように構成される液晶パネル４を枠体５で保持して、幕板Ｐ３の裏面から幕板開口Ｐ７に取り付けることにより、幕板Ｐ３の表面に表示面を配置する。
本実施形態においては、幕板Ｐ３に液晶パネル４の有効表示領域Ｒ１を配置可能な大きさの幕板開口Ｐ７と、後述する幕板ボルト挿通孔５１２に挿通可能な幕板ボルトＰ６が形成される。
【００３７】
枠体５は、図５（ａ）に示すように、枠体本体５１と、枠体本体５１に取り付けられる固定部材５２とを有する。
【００３８】
枠体本体５１は、中央部に枠体開口５１５に形成され、幕板開口Ｐ７よりも大きく形成される。枠体本体５１には、幕板開口Ｐ７よりも大きい部分に残余部分が形成される。枠体本体５１の残余部分には、枠体ボルト５１１と、幕板ボルト挿通孔５１２と、台座部５１４とが形成される。
【００３９】
枠体ボルト５１１は、枠体本体５１の上部に３つ形成され、後述する固定部材５２の枠体ボルト挿通孔５２１が挿通可能な大きさに形成される。
幕板ボルト挿通孔５１２は、幕板ボルトＰ６に対応して枠体本体５１の四隅に、幕板ボルトＰ６が挿通可能な大きさに形成される。
台座部５１４は、枠体本体５１の下部に形成され、液晶パネル４の下部の周囲を覆い、液晶パネル４を保持可能にＬ字形状に形成される。
【００４０】
固定部材５２は、液晶パネル４の背面、上面及び側面を覆いことが可能に逆Ｌ字形状に形成され、上方に突出する部分には枠体ボルトを挿通可能な枠体ボルト挿通孔が形成される。
【００４１】
このように構成される表示装置１は、まず、図４（ａ）に示すように、幕板ボルトＰ６に幕板ボルト挿通孔５１２を挿通して、図４（ｂ）に示すように、幕板ボルトＰ６に対応するナット５１３により枠板本体が取り付けられる。
次に、表示装置１は、図５（ａ）に示すように、台座部５１４に液晶パネル４を設置し、枠体ボルト５１１に枠体ボルト挿通孔５２１を挿通し、図５（ｂ）に示すように、枠体ボルト５１１に対応するナット５２２により固定部材５２が取り付けられる。
このようにして、幕板開口Ｐ７に液晶パネル４の有効表示領域Ｒ１を配置して、幕板Ｐ３の表面に表示面を配置することができる。
【００４２】
また、図３（ａ）に示すような液晶パネル４よりも小型の液晶パネル４を用いる場合には、図４（ｃ）に示すように、小型の液晶パネル４の有効表示領域Ｒ１に対応した枠体開口５１５が形成された枠体本体５１を交換して幕板Ｐ３に液晶パネル４を取り付ける。
このように構成することにより表示装置１は、異なる大きさの液晶パネル４を用いることができることとなる。なお、本実施形態においては、有効表示領域Ｒ１が小さい液晶パネル４の例を示したが、これに限られない。例えば、液晶パネル４の大きさに対応する台座部５１４の形状を有する枠体本体５１と固定部材５２とを交換して取り付けることで、異なる大きさの液晶パネル４を取り付けることができる。
【００４３】
以上のように構成される表示装置１においては、以下のような効果を奏する。
表示装置１においては、保持部３により幕板Ｐ３の表面に表示面を配置するために、既存の幕板Ｐ３を用いることができるので、幕板Ｐ３とパチンコ機Ｐ２に施された装飾により、遊技空間が演出されている場合等においては、遊技空間の統一感を崩すことなく新たな表示面を提供することができる。
【００４４】
また、表示装置１においては、用いられる液晶パネル４の大きさに応じて、枠体５を交換し、液晶パネル４を取り付けることで、異なる大きさの液晶パネル４を用いることができる。したがって、表示装置１においては、例えば、廃棄されたパチンコ機Ｐ２に搭載されていた液晶パネル４や既製品の液晶パネル４を用いることができ、リサイクルの要請を満たすことができたり、コスト面や製造性等の製造者に有利に働くように自由に液晶パネル４を選択したりすることができる。
【００４５】
また、表示装置１においては、幕板Ｐ３の背面に液晶パネル４を保持する枠体が取り付けられるために、幕板Ｐ３の表面に突出することがないため、幕板Ｐ３の美観を損ねることない上に、突出部ぶつかる等の心配が生じない。
【００４６】
また、表示装置１においては、保持部３により幕板Ｐ３の表面に表示装置１が取り付けられるために、幕板Ｐ３の開閉操作時に表示装置１が邪魔になることが無い。
【００４７】
以上、本考案に係る表示装置１の好適な実施形態について説明したが、本考案に係る表示装置１は、上述した実施形態に限定されることなく種々の形態で実施することができる。
【００４８】
なお、本実施形態において、液晶パネル４は、パチンコ機Ｐ２から取り外し、ケースを取り外した状態で用いられるが、ケースが取り付けられた状態でも用いることができる。この場合においては、ケースを想定した大きさの枠体５を用いることとなる。つまり、液晶パネル４としては機能しないパチンコ機Ｐ２の筐体への取り付け部等を覆う大きさの枠体５を用いることで可能となる。
【００４９】
本実施形態においては、表示装置１に表示する画像を、ビデオデッキ２から出力される映像としたがこれに限られず、種々の画像（静止画像及び動画像）を用いることができる。
【００５０】
本実施形態においては、液晶パネル４として説明したがこれに限られない。本実施形態においては、所望の画像を表示可能な画像表示パネルであればよく、例えば、有機ＥＬ（Ｅｌｅｃｔｒｏ  Ｌｕｍｉｎｅｓｃｅｎｃｅ）やプラズマディスプレイ等であってもよい。
【００５１】
本実施形態においては、横長矩形形状の液晶パネル４を用いたがこれに限られない。種々の液晶パネル４の形状に対応可能であり、例えば、縦長矩形形状の液晶パネル４に用いることができる。
【００５２】
本実施形態においては、インターフェース基板等の基板を液晶パネル４にユニット化し、枠体５で保持したがこれに限られない。インターフェース基板等の基板は、取り扱いの容易さや液晶パネル４の構成等により配置場所が選択されればよく、例えば、幕板Ｐ３の内部に配置してもよい。
【００５３】
また、表示制御装置２は、画像の再生信号を液晶パネル４に出力可能な構成であればよく、例えば、パーソナルコンピュータでもよい。パーソナルコンピュータにより構成した場合には、例えば、ハードディスクや各種媒体に記憶された画像（静止画像及び動画像）データを表示装置１に表示させる。また、パーソナルコンピュータがインターネットに接続されている場合には、即時性のある情報（例えば、ニュース等）を表示させることができ、パチンコ機Ｐ２と同期して接続される場合には、パチンコ機Ｐ２に対応する表示（例えば、入賞時に対応する表示）を行うことができる。また、各表示装置１に異なる画像を表示させるように構成することもできる。また、表示タイミング等も種々設定可能になる。
【００５４】
また、本実施形態の表示装置１において、縦方向のケースの取り付けの調節は、所定の長さに形成されたナットに対して、ボルト長さを変更、又はボルトの螺合具合を調節して行っていたが、これに限られない。ナットの長さを変えるように構成してもよく、例えば、ナットを振り出し式に伸縮自在に形成してもよい。
【００５５】
また、本実施形態においては、枠体本体５１を液晶パネル４の下部にし、固定部材５２を液晶パネル４の上部に設けたがこれに限られず、枠体本体５１を液晶パネル４の上部にし、固定部材５２を液晶パネル４の下部に設けてもよい。
【符号の説明】
【００５６】
１      表示装置
２      ビデオデッキ（表示制御装置）
４      液晶パネル（画像表示パネル）
５      枠体
Ｐ１    パチンコ島（遊技機島）
Ｐ２    パチンコ（遊技機）
Ｐ３    幕板
Ｐ７    幕板開口（開口）
Ｒ１    有効表示領域
Ｒ２    額縁
【図１】
0003162323.tif 000003
【図２】
0003162323.tif 000004
【図３】
0003162323.tif 000005
【図４】
0003162323.tif 000006
【図５】
0003162323.tif 000007